【手続補正書】
【提出日】平成22年4月9日(2010.4.9)
【手続補正１】
【補正対象書類名】特許請求の範囲
【補正対象項目名】全文
【補正方法】変更
【補正の内容】
【特許請求の範囲】
【請求項１】
第１ビデオ入力信号および第２ビデオ入力信号をデコードする、マルチモードのデュアルビデオデコーダであって、
前記第１ビデオ入力信号は、第１ビデオ信号部分および第２ビデオ信号部分を含み、
前記第２ビデオ入力信号は、第１ビデオ信号部分および第２ビデオ信号部分を含み、
前記デュアルビデオデコーダは、
前記第１ビデオ入力信号および前記第２ビデオ入力信号を受信し、前記第１ビデオ入力信号の前記第１ビデオ信号部分と、前記第２ビデオ入力信号の前記第１ビデオ信号部分とを選択的に組み合わせて、選択的に組み合わされたビデオ信号を提供し、前記第１ビデオ入力信号の前記第２ビデオ信号部分と、前記第２ビデオ入力信号の前記第２ビデオ信号部分とを選択して、２つの選択されたビデオ信号部分を提供する、ビデオ信号選択ステージと、
前記選択的に組み合わされたビデオ信号および前記２つの選択されたビデオ信号部分を処理して、４つの処理済ビデオ信号部分を提供するアナログ／デジタル変換ステージと、
前記４つの処理済ビデオ信号部分を受信して、２つのデコードされたビデオ信号を出力するデコーダステージと、
を備える、
デュアルビデオデコーダ。
【請求項２】
前記ビデオ信号選択ステージは、前記第１ビデオ入力信号の前記第１ビデオ信号部分および前記第２ビデオ入力信号の前記第１ビデオ信号部分を時分割多重化して、前記選択的に組み合わされたビデオ信号を提供する、
請求項１に記載のデュアルビデオデコーダ。
【請求項３】
前記時分割多重化は、第１クロックの第１クロック期間中に、前記第１ビデオ入力信号の前記第１ビデオ信号部分を選択し、前記第１クロックの第２クロック期間中に、前記第２ビデオ入力信号の前記第２ビデオ信号部分を選択することをさらに含み、
前記処理は、前記第１クロックに応じて、前記２つの選択されたビデオ信号部分の一方を処理し、第２クロックに応じて、前記２つの選択されたビデオ信号部分の他方を処理し、前記第２クロックおよび第３クロックに応じて、前記選択的に組み合わされたビデオ信号を処理することをさらに含む、
請求項２に記載のデュアルビデオデコーダ。
【請求項４】
前記アナログ／デジタル変換ステージは、デマルチプレクサと、３つのアナログ／デジタル変換器とを含み、
前記選択的に組み合わされたビデオ信号は、第１のアナログ／デジタル変換器およびデマルチプレクサにより処理され、
前記２つの選択されたビデオ信号部分は、第２のアナログ／デジタル変換器および第３のアナログ／デジタル変換器により処理される、
請求項３に記載のデュアルビデオデコーダ。
【請求項５】
前記第１クロックの位相は、前記第２クロックの位相のほぼ逆位相であり、
前記第３クロックの周波数は、前記第１クロックおよび前記第２クロックの周波数の約２倍である、
請求項３または請求項４に記載のデュアルビデオデコーダ。
【請求項６】
前記デコーダステージは、
第１の処理済ビデオ信号部分および第２の処理済ビデオ信号部分を受信して、前記２つのデコードされたビデオ信号の一方を出力する第１デコーダと、
第３の処理済ビデオ信号部分および第４の処理済ビデオ信号部分を受信して、前記２つのデコードされたビデオ信号の他方を出力する第２デコーダと、
を含む、
請求項３から請求項５までの何れか一項に記載のデュアルビデオデコーダ。
【請求項７】
前記第１デコーダは前記第１クロックに応じて動作し、
前記第２デコーダは前記第２クロックに応じて動作する、
請求項６に記載のデュアルビデオデコーダ。
【請求項８】
前記２つのデコードされたビデオ信号は、同時に出力され、
前記２つのデコードされたビデオ信号のそれぞれは、画像情報を含む、
請求項１から請求項７までの何れか一項に記載のデュアルビデオデコーダ。
【請求項９】
第１ビデオ入力信号および第２ビデオ入力信号をデコードする方法であって、
前記第１ビデオ入力信号は、第１ビデオ信号部分および第２ビデオ信号部分を含み、
前記第２ビデオ入力信号は、第１ビデオ信号部分および第２ビデオ信号部分を含み、
前記方法は、
前記第１ビデオ入力信号および前記第２ビデオ入力信号を受信する段階と、
前記第１ビデオ入力信号の前記第１ビデオ信号部分と、前記第２ビデオ入力信号の前記第１ビデオ信号部分とを選択的に組み合わせて、選択的に組み合わされたビデオ信号を提供する段階と、
前記第１ビデオ入力信号の前記第２ビデオ信号部分と、前記第２ビデオ入力信号の前記第２ビデオ信号部分とを選択して、２つの選択されたビデオ信号部分を提供する段階と、
前記選択的に組み合わされたビデオ信号および前記２つの選択されたビデオ信号部分を処理して、４つの処理済ビデオ信号部分を提供すべく、アナログ／デジタル変換を行う段階と、
前記４つの処理済ビデオ信号をデコードして、２つのデコードされたビデオ信号を出力する段階と、
を含む、
方法。
【請求項１０】
選択的に組み合わされたビデオ信号を提供する段階は、
前記選択的に組み合わされたビデオ信号を提供すべく、前記第１ビデオ入力信号の前記第１ビデオ信号部分および前記第２ビデオ入力信号の前記第１ビデオ信号部分を時分割多重化する段階を含む、
請求項９に記載の方法。
【請求項１１】
前記時分割多重化する段階は、
第１クロックの第１クロック期間中に、前記第１ビデオ入力信号の前記第１ビデオ信号部分を選択し、前記第１クロックの第２クロック期間中に、前記第２ビデオ入力信号の前記第２ビデオ信号部分を選択する段階をさらに含み、
前記アナログ／デジタル変換を行う段階は、
前記第１クロックに応じて、前記２つの選択されたビデオ信号部分の一方を処理する段階と、
前記第２クロックに応じて、前記２つの選択されたビデオ信号部分の他方を処理する段階と、
前記第２クロックおよび第３クロックに応じて、前記選択的に組み合わされたビデオ信号を処理する段階と、
をさらに含む、
請求項１０に記載の方法。
【請求項１２】
前記選択的に組み合わされたビデオ信号を処理する段階は、
前記第２クロックに応じて、２つの非多重化されたビデオ信号部分を生成する非多重化段階をさらに含む、
請求項１１に記載の方法。
【請求項１３】
第１の処理済ビデオ信号部分と第２の処理済ビデオ信号部分とをデコードして、第１のデコードされたビデオ信号を生成する段階と、
第３の処理済ビデオ信号部分と第４の処理済ビデオ信号部分とをデコードして、第２のデコードされたビデオ信号を生成する段階と、
をさらに含む、
請求項１２に記載の方法。
【請求項１４】
前記第１のデコードされたビデオ信号を生成する段階は、前記第１クロックに応じて動作し、
前記第２のデコードされたビデオ信号を生成する段階は、前記第２クロックに応じて動作する、
請求項１３に記載の方法。
【請求項１５】
前記第１クロックの位相は、前記第２クロックの位相のほぼ逆位相であり、
前記第３クロックの周波数は、前記第１クロックおよび前記第２クロックの周波数の約２倍である、
請求項１１から請求項１４までの何れか一項に記載の方法。
【請求項１６】
前記２つのデコードされたビデオ信号は、同時に出力され、
前記２つのデコードされたビデオ信号のそれぞれは、画像情報を含む、
請求項９から請求項１５までの何れか一項に記載の方法。
【手続補正２】
【補正対象書類名】明細書
【補正対象項目名】００６３
【補正方法】変更
【補正の内容】
【００６３】
図７、８、および９は、デコーダ４２２を利用してビデオ信号４２６または４２８（図４）を生成する動作の三つの例示的モードを図示する。これら三つの動作モードは、例えば、コンポジットビデオ信号、ｓ−ｖｉｄｅｏ、およびコンポーネントビデオ信号を提供しうる。
【手続補正３】
【補正対象書類名】明細書
【補正対象項目名】０１４５
【補正方法】変更
【補正の内容】
【０１４５】
故に、共有記憶容量を利用して多数の高品質なビデオチャネルストリームを提供する装置および方法が提供される。当業者であれば、本発明が記載された実施形態以外の方法で実施することができることを理解するであろう、というのも実施形態は限定目的からではなく、例示目的で提示されており、本発明は以下の請求項のみにより限定されるからである。
なお、本願明細書には、以下の項目１から項目５１が記載されている。
（項目１）
複数のビデオ入力信号を受信するマルチモードのデュアルビデオデコーダであって、上記複数のビデオ入力信号の少なくとも一つは、二以上のビデオ入力信号部分を含み、
上記デュアルビデオデコーダは、
上記複数のビデオ入力信号を受信して、少なくとも三つのビデオ入力信号部分を選択的に組み合わせて二つの選択されたビデオ信号を提供するビデオ信号選択ステージと、
上記少なくとも二つの選択されたビデオ信号を処理するアナログ／デジタル変換ステージと、
上記少なくとも二つの処理済ビデオ信号を受信して少なくとも一つのデコードされたビデオ信号を出力するデコーダステージと、を備える、デュアルビデオデコーダ。
（項目２）
上記少なくとも一つのデコードされたビデオ信号の一つはコンポジットビデオ信号を含み、上記少なくとも一つのデコードされたビデオ信号の別の一つはｓ−ｖｉｄｅｏビデオ信号を含む、項目１に記載のデュアルビデオデコーダ。
（項目３）
上記少なくとも一つのデコードされたビデオ信号の一つはコンポジットビデオ入力信号を含み、上記少なくとも一つのデコードされたビデオ信号の別の一つはコンポーネントビデオ信号を含む、項目１に記載のデュアルビデオデコーダ。
（項目４）
上記少なくとも一つのデコードされたビデオ信号の一つはｓ−ｖｉｄｅｏビデオ信号を含み、上記少なくとも一つのデコードされたビデオ信号の別の一つはｓ−ｖｉｄｅｏビデオ信号を含む、項目１に記載のデュアルビデオデコーダ。
（項目５）
第１のビデオ信号部分、第２のビデオ信号部分、および第３のビデオ信号部分は、Ｙ−チャネル、Ｕ−チャネル、Ｖ−チャネル、およびクロマからなる群から選択される、項目１に記載のデュアルビデオデコーダ。
（項目６）
ＤＣ復元ステージをさらに含み、上記少なくとも二つの選択されたビデオ信号の少なくとも一つは、上記アナログ／デジタル変換ステージで受信される前に、上記ＤＣ復元ステージに渡される、項目１に記載のデュアルビデオデコーダ。
（項目７）
上記選択ステージは、
上記少なくとも二つの選択されたビデオ信号の一つとして、上記三つのビデオ入力信号部分の第１の部分および上記三つのビデオ入力信号部分の第２の部分を時分割多重化し、
上記少なくとも二つの選択されたビデオ信号の別の一つとして、上記三つのビデオ入力信号部分の第３の部分を選択する、項目１に記載のデュアルビデオデコーダ。
（項目８）
上記時分割多重化は、第１のクロックの第１のクロック期間中に上記第１の部分を選択し、上記第１のクロックの第２のクロック期間中に上記第２の部分を選択することをさらに含み、
上記第３の部分を選択することは、第２のクロックの第１のクロック期間中に上記第２の部分を選択することをさらに含み、
上記処理することは、上記第１のクロックに応じて上記少なくとも二つの選択されたビデオ信号の一方を処理し、上記少なくとも二つの選択されたビデオ信号の他方を上記第２のクロックに応じて処理することをさらに含む、項目７に記載のデュアルビデオデコーダ。
（項目９）
上記第２のクロックの上記第１のクロック期間は、上記第１のクロックの上記第１のクロック期間の中間に実質的に位置合わせされる、項目８に記載のデュアルビデオデコーダ。
（項目１０）
上記第２のクロックは、上記第１のクロックの周波数の略半分で動作する、項目８に記載のデュアルビデオデコーダ。
（項目１１）
上記アナログ／デジタル変換ステージは、第１のアナログ／デジタル変換器および第２のアナログ／デジタル変換器を含む、項目８に記載のデュアルビデオデコーダ。
（項目１２）
上記少なくとも三つのビデオ入力信号部分は、上記第１のアナログ／デジタル変換器および上記第２のアナログ／デジタル変換器により処理される、項目１１に記載のデュアルビデオデコーダ。
（項目１３）
上記デコーダステージは、
第１の処理済部分および第２の処理済部分を受信して、上記少なくとも二つのデコードされたビデオ信号のうちの一つを出力する第１のデコーダを含む、項目８に記載のデュアルビデオデコーダ。
（項目１４）
上記第１のデコーダは、ＮＴＳＣビデオデコーダ、ＰＡＬビデオデコーダ、およびＳＥＣＡＭビデオデコーダからなる群から選択される、項目１３に記載のデュアルビデオデコーダ。
（項目１５）
上記ビデオ信号選択ステージは、第３の選択されたビデオ信号を提供し、上記第３の選択されたビデオ信号として、１ビデオ入力信号の第４の部分をさらに選択する、項目８に記載のデュアルビデオデコーダ。
（項目１６）
上記第４の部分は、上記第２のクロックの略逆である第３のクロックの第１のクロック期間中に選択される、項目１５に記載のデュアルビデオデコーダ。
（項目１７）
上記アナログ／デジタル変換は、上記第３の選択されたビデオ信号を受信し、上記第３の選択されたビデオ信号を上記第３のクロックに応じて処理する、項目１６に記載のデュアルビデオデコーダ。
（項目１８）
上記デコーダステージは、
第１の処理済部分および第２の処理済部分を受信して、上記少なくとも一つのデコードされたビデオ信号の一つを出力する第１のデコーダと、
第３の処理済部分および第４の処理済部分を受信して、上記少なくとも一つのデコードされたビデオ信号の第２のものを出力する第２のデコーダと、を含む、項目１７に記載のデュアルビデオデコーダ。
（項目１９）
上記第１のデコーダは上記第２のクロックに応じて動作し、上記第２のデコーダは上記第３のクロックに応じて動作する、項目１８に記載のデュアルビデオデコーダ。
（項目２０）
複数のビデオ入力信号をデコードする方法であって、上記複数のビデオ入力信号の少なくとも一つは二以上のビデオ入力信号部分を含み、上記方法は、
上記複数のビデオ入力信号を受信することと、
二つの選択されたビデオ信号を提供すべく少なくとも三つのビデオ入力信号を選択的に組み合わせることと、
上記選択されたビデオ信号を処理すべくアナログ／デジタル変換を行うことと、
少なくとも一つのデコードされたビデオ信号を生成すべく処理済の上記ビデオ信号をデコードすることと、を含む、方法。
（項目２１）
上記少なくとも一つのデコードされたビデオ信号の一つはコンポジットビデオ信号を含み、上記少なくとも一つのデコードされたビデオ信号の別の一つはｓ−ｖｉｄｅｏビデオ信号を含む、項目２０に記載の方法。
（項目２２）
上記少なくとも一つのデコードされたビデオ信号の一つはコンポジットビデオ信号を含み、上記少なくとも一つのデコードされたビデオ信号の別の一つはコンポーネントビデオ信号を含む、項目２０に記載の方法。
（項目２３）
上記少なくとも一つのデコードされたビデオ信号の一つはｓ−ｖｉｄｅｏビデオ信号を含み、上記少なくとも一つのデコードされたビデオ信号の別の一つはｓ−ｖｉｄｅｏビデオ信号を含む、項目２０に記載の方法。
（項目２４）
第１のビデオ信号部分、第２のビデオ信号部分、および第３のビデオ信号部分は、Ｙ−チャネル、Ｕ−チャネル、Ｖ−チャネル、およびクロマからなる群から選択される、項目２０に記載の方法。
（項目２５）
上記アナログ／デジタル変換を行う前に、上記少なくとも二つの選択されたビデオ信号の少なくとも一つが持つＤＣ成分を復元することをさらに含む、項目２０に記載の方法。
（項目２６）
上記組み合わせることは、
上記少なくとも三つのビデオ入力信号部分の第１の部分および第２の部分を時分割多重化することと、
上記少なくとも三つのビデオ入力信号部分の第３の部分を選択することと、を含む、項目２０に記載の方法。
（項目２７）
上記時分割多重化することは、第１のクロックの第１のクロック期間中に上記第１の部分を選択し、上記第１のクロックの第２のクロック期間中に上記第２の部分を選択することをさらに含み、
上記第２の部分の選択は、第２のクロックの第１のクロック期間中に上記第２の部分を選択することをさらに含み、
上記アナログ／デジタル変換を行うことは、上記第１のクロックに応じて上記選択されたビデオ信号の一方を処理することと、上記第２のクロックに応じて上記選択されたビデオ信号の他方を処理することと、をさらに含む、項目２６に記載の方法。
（項目２８）
上記第２のクロックの上記第１のクロック期間は、上記第１のクロックの上記第１のクロック期間の中間に実質的に位置合わせされる、項目２６に記載の方法。
（項目２９）
上記第２のクロックは、上記第１のクロックの周波数の略半分で動作する、項目２６に記載の方法。
（項目３０）
上記デコードすることは、上記少なくとも一つのデコードされたビデオ信号を生成すべく、第１の処理済部分と第２の処理済部分とをデコードすることをさらに含む、項目２６に記載の方法。
（項目３１）
上記少なくとも三つのビデオ入力信号部分の上記第３の部分として第４のビデオ入力信号部分を選択することをさらに含む、項目２６に記載の方法。
（項目３２）
上記第４の部分は、上記第２のクロックの略逆である第３のクロックの第１のクロック期間中に選択される、項目３１に記載の方法。
（項目３３）
上記第３のクロックに応じて上記第４の部分を処理すべくアナログ／デジタル変換を行うことをさらに含む、項目３２に記載の方法。
（項目３４）
第１のデコードされたビデオ信号を生成すべく第１の処理済部分と第２の処理済部分とをデコードすることと、
第２のデコードされたビデオ信号を生成すべく第３の処理済部分と第４の処理済部分とをデコードすることと、をさらに含む、項目３３に記載の方法。
（項目３５）
上記第１のデコードされたビデオ信号を生成すべくデコードすることは上記第２のクロックに応じて動作し、上記第２のデコードされたビデオ信号を生成すべくデコードすることは上記第３のクロックに応じて動作する、項目３４に記載の方法。
（項目３６）
複数のビデオ入力信号をデコードする装置であって、上記複数のビデオ入力信号の少なくとも一つは二つ以上のビデオ入力信号部分を含み、
上記複数のビデオ入力信号を受信する手段と、
二つの選択されたビデオ信号を提供すべく少なくとも三つのビデオ入力信号部分を選択的に組み合わせる手段と、
上記選択されたビデオ信号を処理すべくアナログ／デジタル変換を行う手段と、
少なくとも一つのデコードされたビデオ信号を生成すべく処理済の上記ビデオ信号をデコードする手段と、を備える、装置。
（項目３７）
上記少なくとも一つのデコードされたビデオ信号の一つはコンポジットビデオ信号を含み、上記少なくとも一つが持つデコードされたビデオ信号の別の一つはｓ−ｖｉｄｅｏビデオ信号を含む、項目３６に記載の装置。
（項目３８）
上記少なくとも一つのデコードされたビデオ信号の一つはコンポジットビデオ信号を含み、上記少なくとも一つのデコードされたビデオ信号の別の一つはコンポーネントビデオ信号を含む、項目３６に記載の装置。
（項目３９）
上記少なくとも一つのデコードされたビデオ信号の一つはｓ−ｖｉｄｅｏビデオ信号を含み、上記少なくとも一つのデコードされたビデオ信号の別の一つはｓ−ｖｉｄｅｏビデオ信号を含む、項目３６に記載の装置。
（項目４０）
第１のビデオ信号部分、第２のビデオ信号部分、第３のビデオ信号部分は、Ｙ−チャネル、Ｕ−チャネル、Ｖ−チャネル、およびクロマからなる群から選択される、項目３６に記載の装置。
（項目４１）
上記アナログ／デジタル変換を行う前に、上記少なくとも二つの選択されたビデオ信号の少なくとも一つが持つＤＣ成分を復元する手段をさらに含む、項目３６に記載の装置。
（項目４２）
上記組み合わせることは、
上記少なくとも三つのビデオ入力信号部分の第１の部分および第２の部分を時分割多重化する手段と、
上記少なくとも三つのビデオ入力信号部分の第３の部分を選択する手段と、を含む、項目３６に記載の装置。
（項目４３）
上記時分割多重化する手段は、第１のクロック手段の第１のクロック期間中に上記第１の部分を選択し、上記第１のクロック手段の第２のクロック期間中に上記第２の部分を選択する手段をさらに含み、
上記第２の部分を選択する手段は、第２のクロック手段の第１のクロック期間中に上記第２の部分を選択することをさらに含み、
上記アナログ／デジタル変換を行う手段は、上記第１のクロック手段に応じて上記選択されたビデオ信号の一方を処理する手段と、上記第２のクロック手段に応じて上記選択されたビデオ信号の他方を処理する手段と、をさらに含む、項目４２に記載の装置。
（項目４４）
上記第２のクロック手段の上記第１のクロック期間は、上記第１のクロック手段の上記第１のクロック期間の中間に実質的に位置合わせされる、項目４２に記載の装置。
（項目４５）
上記第２のクロック手段は上記第１のクロック手段の周波数の略半分で動作する、項目４２に記載の装置。
（項目４６）
上記デコードする手段は、上記少なくとも一つのデコードされたビデオ信号を生成すべく、第１の処理済部分と第２の処理済部分とをデコードすることをさらに含む、項目４２に記載の装置。
（項目４７）
上記少なくとも三つのビデオ入力信号部分の上記第３の部分として第４のビデオ入力信号部分を選択する手段をさらに含む、項目４２に記載の装置。
（項目４８）
上記第４の部分は、上記第２のクロック手段の略逆である第３のクロック手段の第１のクロック期間中に選択される、項目４７に記載の装置。
（項目４９）
上記第３のクロック手段に応じて上記第４の部分を処理すべくアナログ／デジタル変換を行う手段をさらに含む、項目４８に記載の装置。
（項目５０）
第１のデコードされたビデオ信号を生成すべく第１の処理済部分と第２の処理済部分とをデコードする手段と、
第２のデコードされたビデオ信号を生成すべく第３の処理済部分と第４の処理済部分とをデコードする手段と、をさらに含む、項目４９に記載の装置。
（項目５１）
上記第１のデコードされたビデオ信号を生成すべくデコードする手段は上記第２のクロック手段に応じて動作し、上記第２のデコードされたビデオ信号を生成すべくデコードする手段は上記第３のクロック手段に応じて動作する、項目５０に記載の装置。